(57)【要約】  測定された量の飲料を分注するように配置された飲料容器が開示される。飲料容器は、器の首上に保管され、かつ飲料をその器または別の器のいずれかの中に分注するために器から取り外されるように適合される。
2020506124.tif 000002
【特許請求の範囲】
【請求項１】
本体から取り外し可能なオーバーキャップを含む飲料容器であって、前記オーバーキャップは、前記本体を飲料器に取り外し可能に連結し、かつ前記器への入口を覆い、前記本体の一部は、前記本体内のリザーバから前記本体を通る通路を通して飲料を分注するために絞られるかまたは移動されるように適合される、飲料容器において、前記オーバーキャップおよび前記オーバーキャップを受けかつそれに取り付ける前記本体の一部は、前記本体が前記器から取り外されているときに前記オーバーキャップを前記器上に保持するように協働することを特徴とする飲料容器。
【請求項２】
前記リザーバから前記飲料を分注するために絞られるかまたは移動されるように適合される前記本体の前記一部は、前記リザーバ内で摺動可能なピストンである、請求項１に記載の飲料容器。
【請求項３】
前記オーバーキャップは、低温殺菌可能な材料からなりかつ前記器に連結する器キャップに連結する、請求項１または２に記載の飲料容器。
【請求項４】
前記オーバーキャップは、前記入口を閉じるように配置される、請求項１または２に記載の飲料容器。
【請求項５】
前記オーバーキャップは、前記本体から取り外し可能である、請求項１〜４のいずれか一項に記載の飲料容器。
【請求項６】
前記本体は、絞られるかまたは移動されるように適合された前記一部と、前記リザーバを部分的に包囲する物品との組立体を含む、請求項１〜５のいずれか一項に記載の飲料容器。
【請求項７】
前記リザーバは、前記物品と組み立てられたときに前記ピストンによって包囲される、請求項２に従属する請求項６に記載の飲料容器。
【請求項８】
前記物品には、組立のために前記ピストンを受け、かつ前記ピストンを操作するために前記ピストンの頭部への指のアクセスを提供するための開口がある、請求項７に記載の飲料容器。
【請求項９】
前記オーバーキャップは、前記物品から取り外し可能である、請求項６〜８のいずれか一項に記載の飲料容器。
【請求項１０】
前記オーバーキャップは、前記オーバーキャップを前記器上に保持するために前記器上に第２の係止部とのインターロックを形成する第１の係止部を含む、請求項１〜９のいずれか一項に記載の飲料容器。
【請求項１１】
前記本体は、前記本体が前記器から取り外されているときに前記第１の係止部が前記インターロックから解放されることを防止するための保持手段を含む、請求項１０に記載の飲料容器。
【請求項１２】
前記オーバーキャップを受けかつそれに取り付ける前記本体の前記一部は、ソケットである、請求項１〜１１のいずれか一項に記載の飲料容器。
【請求項１３】
前記ソケットは、前記物品内に形成される、請求項６に従属する請求項１２に記載の飲料容器。
【請求項１４】
前記本体は、前記ソケット内に受けられた前記オーバーキャップによって前記入口の上で前記器上に装着可能である、請求項１２または１３に記載の飲料容器。
【請求項１５】
前記通路は、前記リザーバから前記ソケット内までである、請求項１２〜１４のいずれか一項に記載の飲料容器。
【請求項１６】
前記本体は、中空内部を形成され、前記本体は、前記ソケットおよび前記リザーバを形成するために中空内部を分割する隔壁を含む、請求項１２〜１５のいずれか一項に記載の飲料容器。
【請求項１７】
前記隔壁およびピストンは、実質的にすべての前記飲料を前記リザーバから排出するための一致する輪郭を有する嵌合表面を有する、請求項２、７または８に従属する請求項１６に記載の飲料容器。
【請求項１８】
前記通路は、前記隔壁を通る、請求項１６または１７に記載の飲料容器。
【請求項１９】
前記通路は、ノズルである、請求項１〜１８のいずれか一項に記載の飲料容器。
【請求項２０】
前記ソケットは、前記オーバーキャップを受けかつそれに取り付け、および前記オーバーキャップを前記器上に保持するために前記オーバーキャップと協働する前記本体の前記一部である、請求項１２に従属する請求項１３〜１９のいずれか一項に記載の飲料容器。
【請求項２１】
前記オーバーキャップおよび前記ソケットは、前記オーバーキャップを前記器上に保持するように協働し、前記オーバーキャップは、前記ソケット内において、前記オーバーキャップが前記ソケット内の停止部によって前記停止部から前記ソケット内に予め選択された距離で停止される位置にある、請求項２０に記載の飲料容器。
【請求項２２】
前記保持手段は、前記第１の係止部を前記第２の係止部とインターロックするために前記第１の係止部と係合する、請求項１１に従属する請求項２１に記載の飲料容器。
【請求項２３】
前記第１の係止部は、前記器からの取り外しのために前記オーバーキャップを解放するため、前記第１の係止部を前記保持手段から係脱することによって前記第２の係止部から係止解除される、請求項２２に記載の飲料容器。
【請求項２４】
前記入口を覆うための前記オーバーキャップの一部は、前記通路を封鎖するためのシャッターを含む、請求項１〜２３のいずれか一項に記載の飲料容器。
【請求項２５】
前記シャッターは、前記ソケット内で前記保持手段が前記第１の係止部を前記第２の係止部と係合させる場合、前記通路を封鎖するように前記保持手段に対して配置される、請求項２２または２３に従属する請求項２４に記載の飲料容器。
【請求項２６】
前記シャッターは、前記保持手段が前記第１の係止部から係脱される場合、前記通路の封鎖を解除するように前記保持手段に対して配置される、請求項２５に記載の飲料容器。
【請求項２７】
請求項１〜２６のいずれか一項に記載の飲料容器と前記器とを含む飲料保管および分注システム。
【請求項２８】
前記飲料容器は、前記リザーバ内に第１の飲料を含有し、および前記器は、第２の飲料を含有する、請求項２７に記載の飲料保管および分注システム。
【発明の詳細な説明】
【技術分野】
【０００１】
本発明は、概して、測定された量の飲料を分注するための飲料閉鎖器の形態の装置に関する。より詳細には、本発明は、飲料を香味料または栄養剤用コーディアルとして飲料閉鎖器自体および飲用の別の飲料を含有する別の器内に分注するように適合された装置に関する。
【背景技術】
【０００２】
密封飲料器は、飲用の飲料を保管および保護する。飲料は、保管のために器内に含有され、使用のために器から注ぎ出される。
【０００３】
天然果汁などの一部の飲料香味料は、純度を保って封止されない限り急速に劣化する。一部の飲料香味料は、他の飲料と混合すると腐敗する。
【０００４】
はるか過去から、別の飲料と混合されると腐敗する香味料および飲料は、単純に個別の器に保管されてきた。これは、常に少なくとも２つの器を必要とする欠点を有してきた。
【０００５】
ごく最近、米国特許出願公開第Ａ１−２００９０１３９８８２号明細書に公開されたＤｅｊｏｎｇｅによる開示におけるディスペンサキャップなどのディスペンサキャップが紹介された。しかし、これらのキャップは、永久に器に固定されているため、任意の２つの器から飲料および香味料を混合できるという利点が失われる。
【０００６】
欧州特許出願公開第Ａ１−２８９９１３７号明細書に公開されたＫｉｍらによる開示は、食品−飲料器のためのストッパを明らかにしている。ストッパは、器も閉じる。カバーは、機能性飲料を含有するストッパの内側の容器にアクセスするためにストッパから除去される。シールは、機能性添加物をストッパから注ぎ出すために壊さなければならない。
【０００７】
米国特許第Ｂ−３１５６３６９号明細書に公開されたＢｏｗｅｓらによる開示は、使用のために混合する直前まで個別に保管される２つの異なる物質を保管、混合および分注するための二層式容器を明らかにしている。容器は、カバー上のシールを壊すことによってアクセスされる。容器は、瓶に永久に固定されている。
【０００８】
米国特許出願公開第Ａ１−２００２／００６６７７号明細書に公開されたＭｏｓｃｏｖｉｔｚによる開示は、食品または医薬組成物を保管および分注するための容器を明らかにしている。容器は、瓶に確実に連結した後に壊すことができるシールを含む。
【０００９】
米国特許出願公開第Ａ１−２０１１／０１７４６４２号明細書に公開されたＣｏｏｎによる開示は、容器の中身全部を放出するために破られる脆弱な膜を有する容器を明らかにしている。容器は、瓶を開けるために瓶を回して外される。
【００１０】
先行技術の上記の開示の共通のテーマは、製品を直接瓶内に分注するように配置された容器である。
【００１１】
国際公開第Ａ１−２０１６０８８５９号パンフレットに公開されたＳｅｏらによる開示は、瓶に含有された液体中に浸す細長い注ぎ口を備えた滴下器を明らかにしている。注ぎ口は、注ぎ口の遠位端内に液体を引き寄せるために第１の端部に球を含む。瓶は、滴下器が瓶から除去されると開く。この開示のテーマは、瓶内にある液体を分注するための装置である。
【発明の概要】
【発明が解決しようとする課題】
【００１２】
この確立した考えから離れた新規の発明が必要とされている。
【課題を解決するための手段】
【００１３】
本発明の第１の態様によれば、飲料容器は、本体から取り外し可能なオーバーキャップを含み、オーバーキャップは、本体を飲料器に取り外し可能に連結し、かつ器への入口を覆い、本体の一部は、本体内のリザーバから本体を通る通路を通して飲料を分注するために絞られるかまたは移動されるように適合され、飲料容器は、オーバーキャップおよびオーバーキャップを受けかつそれに取り付ける本体の一部が、本体が器から取り外されているときにオーバーキャップを器上に保持するように協働することを特徴とする。
【００１４】
好ましくは、器は、飲料を保管し、運搬しかつ注ぐために使用されるキャップによって閉じることができる開口を備えた瓶、フラスコ、ジャーまたは他の携帯容器である。このような器は、飲用の器を保管しかつ注ぐために使用されるため、本明細書では飲用器と呼ばれる。
【００１５】
好ましくは、オーバーキャップは、器を器キャップに取り外し可能に連結する。器キャップは、器に連結し、かつ器への入口を閉じる。飲料容器は、器に連結される器キャップに連結されることによって器に連結される。
【００１６】
好ましくは、器キャップは、低温殺菌温度に耐える低温殺菌可能な材料からなる一方、器上の適所に留まるように形状を維持する。好ましくは、器キャップは、ビール、牛乳またはジュースを低温殺菌するために、５５℃を超える低温殺菌温度に少なくとも３０分間、または好ましくは６５℃を超える温度に少なくとも３０分間、または好ましくは７５℃を超える温度に少なくとも１分間、または好ましくは１５０℃を超える温度に少なくとも１０秒間耐える。好ましくは、器キャップは、器を開閉するために瓶の首を捻って嵌めたり外したりするためのねじ込み式キャップであり、好ましくは、器キャップは、アルミニウムが低温殺菌可能であるためにアルミニウムを含む。
【００１７】
好ましくは、オーバーキャップは、器への入口の周囲に連結され、かつ入口を覆うように配置される。好ましくは、オーバーキャップは、入口の周囲の器の首に連結されるように配置される。好ましくは、オーバーキャップは、首を覆うように配置される。好ましくは、オーバーキャップは、入口を閉じる。
【００１８】
好ましくは、オーバーキャップは、瓶の首である首のために配置される。
【００１９】
好ましくは、オーバーキャップは、本体から取り外し可能である。飲料容器は、それにより、少なくとも２つの部分に分離可能である。
【００２０】
好ましくは、一方の部分は、本体であり、およびオーバーキャップは、本体から取り外し可能である。好ましくは、本体は、オーバーキャップが本体から取り外されるときに飲料容器の残りを含む。
【００２１】
好ましくは、本体は、絞されるかまたは移動されるときに飲料を分注する部分を含む。
【００２２】
好ましくは、本体は、リザーバを包囲するかまたは部分的に包囲する物品を含む。好ましくは、本体は、物品と、リザーバから飲料を分注するために絞られるかまたは移動されるように適合された部分との組立体を含む。
【００２３】
好ましくは、オーバーキャップは、物品から取り外し可能である。
【００２４】
好ましくは、飲料容器は、オーバーキャップを受けかつそれに取り付けるための部分を含む。好ましくは、本体は、オーバーキャップを受けかつそれに取り付けるための部分を含む。好ましくは、オーバーキャップを受けかつそれに取り付けるための部分は、ソケットである。
【００２５】
有利には、オーバーキャップは、ソケットから除去可能である。
【００２６】
好ましくは、飲料容器は、その中にソケットが形成されており、その中でオーバーキャップが容器に取り付け可能である。好ましくは、ソケットは、物品内に形成される。
【００２７】
好ましくは、本体、より好ましくは物品は、ソケット内に受けられたオーバーキャップによって入口の上で器上に装着される。有利には、飲料容器は、それにより、器上に装着される。
【００２８】
好ましくは、通路は、リザーバからソケット内までである。リザーバ内の飲料は、ノズルを通して好ましくはソケット内に、またはオーバーキャップを受けるためにソケット内の開口を通して外に分注され得る。
【００２９】
好ましくは、通路は、ノズルであり、好ましくは、ノズルは、飲料の流れを加速させるかまたは方向付けるために使用される先細またはくびれを備えた管を含む。飲料は、それにより、ソケットを通して容易に排出される。
【００３０】
好ましくは、飲料容器は、ソケットおよびリザーバを形成するために中空内部を分割する隔壁を含む。好ましくは、中空内部は、本体内、好ましくは物品内にある。
【００３１】
好ましくは、物品内において、中空内部と、ソケットおよびリザーバ包囲部を形成するために内部を分割する隔壁とがある。
【００３２】
好ましくは、飲料容器は、好ましくは、本体または物品内にある第１および第２の開口を有する。好ましくは、２つの開口は、飲料容器または物品の対向する端部である。２つの開口は、好ましくは、開口端を中空内部に提供する中空内部内に通じる開口である。好ましくは、開口端は、隔壁の反対側にある。
【００３３】
好ましくは、通路は、隔壁を通る。好ましくは、ノズルは、隔壁からオーバーキャップを受けるための第１の開口に向かって突出する。好ましくは、開口は、ソケットによって画定される。
【００３４】
好ましくは、オーバーキャップおよびオーバーキャップを受けかつそれに取り付ける本体の一部は、本体が器から取り外されているときにオーバーキャップを器上に保持するように協働する。
【００３５】
好ましくは、ソケットは、オーバーキャップを受けかつそれに取り付け、およびオーバーキャップを器上に保持するためにオーバーキャップと協働する本体の一部である。
【００３６】
好ましくは、オーバーキャップおよびソケットは、オーバーキャップを器上に保持するように協働し、オーバーキャップは、ソケット内で予め選択された距離にある。好ましくは、その距離は、ソケット内の停止部からの予め選択された距離である。好ましくは、停止部は、隔壁またはノズルである。
【００３７】
好ましくは、オーバーキャップおよびソケットは、オーバーキャップが隔壁または停止部に接触する位置から予め選択された距離までそのように協働する。
【００３８】
オーバーキャップが、接触位置から、隔壁からの予め選択された距離までソケットから除去される間、オーバーキャップは、器上に保持される。有利には、この範囲の距離にわたり、本体は、オーバーキャップから回して外され得る一方、オーバーキャップは、同様に器から回して外れることを防止される。
【００３９】
好ましくは、オーバーキャップは、器上で第２の係止部とインターロックする第１の係止部を含む。オーバーキャップは、インターロックによって器上に保持される。
【００４０】
好ましくは、本体は、本体が器から取り外されているときに第１の係止部が第２の係止部とのインターロックから開放されることを防止する保持手段を含む。
【００４１】
好ましくは、物品は、保持手段を含む。好ましくは、ソケットは、保持手段を含む。
【００４２】
好ましくは、保持手段は、第１の係止部を第２の係止部とインターロックするために第１の係止部と係合する。
【００４３】
好ましくは、保持手段は、オーバーキャップの周囲に滑合するように配置されたソケットの一部を含む。
【００４４】
好ましくは、ソケットは、好ましくは、保持手段が第１の係止部を第２の係止部と係合させる場合、首および器の入口を覆うオーバーキャップを覆う。この構成では、リザーバを含む物品は、好都合に器に取り付けられ、かつ器上に保管される。
【００４５】
好ましくは、オーバーキャップおよびオーバーキャップを受けかつそれに取り付けられる本体の一部は、器からの取り外しのためにオーバーキャップを解放するために本体が器から取り外されている場合に係脱する。
【００４６】
好ましくは、保持手段が第１の係止部から係脱する場合、第１の係止部は、器からオーバーキャップを取り外すために第２の係止部から係止解除するように解放される。第１の係止部が保持手段から解放される場合、オーバーキャップは、第２の係止部から解放される。
【００４７】
好ましくは、第１の係止部は、第１の係止部を保持手段から係脱することによって第２の係止部から係止解除される。オーバーキャップは、それにより、器から係止解除され、かつ器からの取り外しのために解放される。
【００４８】
好ましくは、保持手段は、オーバーキャップがソケット内の隔壁または停止部から予め選択された距離までソケットに入る場合に第１の係止部から係脱する。
【００４９】
好ましくは、入口を覆うためのオーバーキャップの一部は、好ましくは、ノズルである通路を封鎖するためのシャッターを含む。
【００５０】
好ましくは、シャッターは、ソケット内で保持手段が第１の係止部を第２の係止部と係合させる場合、通路またはノズルを封鎖するように保持手段に対して配置される。好ましくは、シャッターは、オーバーキャップがソケット内に受けられると通路またはノズルを封鎖する。
【００５１】
好ましくは、シャッターは、保持手段が第１の係止部を第２の係止部から係止解除するために第１の係止部から係脱される場合、通路の封鎖を解除するように保持手段に対して配置される。好ましくは、シャッターは、保持手段が第１の係止部から係脱されるソケット内の位置にオーバーキャップがある場合、通路の封鎖を解除するように配置される。
【００５２】
好ましくは、シャッターは、オーバーキャップがソケットから除去されると通路またはノズルの封鎖を解除し、好ましくは遮断を解除するように配置される。
【００５３】
好ましくは、シャッターは、ノズルを封鎖するためにノズルの周囲を封止するオーバーキャップの一部を含む。好ましくは、シャッターは、通路またはノズルを封鎖するために通路またはノズル内に挿入するオーバーキャップの一部によって形成される。
【００５４】
好ましくは、リザーバから飲料を分注するために絞られるかまたは移動されるように適合された本体の一部は、リザーバ内で摺動可能なピストンである。
【００５５】
好ましくは、飲料容器は、第２の飲料のための器上のリザーバ内に第１の飲料を保管するためのものである。
【００５６】
有利には、第１の飲料は、リザーバ内に保管可能である一方、第２の飲料は、器内に保管可能である。第１の飲料は、分注されかつ第２の飲料と別個に使用され得る。
【００５７】
有利には、本体は、オーバーキャップが器キャップを覆っている間およびオーバーキャップが器に取り付けられている間にオーバーキャップから除去することができる。
【００５８】
好ましくは、オーバーキャップは、個別の瓶キャップまたは器が器の入口を閉じる必要がないように瓶キャップまたは器キャップとして機能する。
【００５９】
有利には、飲料容器は、携帯可能である。物品は、ソケットが、排出された第１の飲料を保持するための臨時のカップであるように、第１の飲料がソケット内に排出されるときにソケットの開口端を上向きに保持し得る。物品は、第１の飲料がソケット内に排出されるときに第１の飲料が開口端を通して流れ落ちるように、ソケットの開口端を下向きに保持し得る。
【００６０】
好ましくは、ソケットは、オーバーキャップを受けるための開口のリムを有する。好ましくは、リムは、使用者がソケット内の飲料を飲むかまたは啜るように配置される。
【００６１】
有利には、オーバーキャップをソケットから取り出すことによって物品がオーバーキャップから除去された後、器内の第２の飲料は、第１の飲料から別個に使用され得る。第２の飲料は、器から水差しもしくは混合カップまたはソケット内に注がれ得る。第１の飲料は、第２の飲料と混合するために水差しまたは混合カップ内に排出され得る。
【００６２】
第１の飲料は、リザーバからノズルを通して、好ましくはソケットであるオーバーキャップを受ける飲料容器の一部内に排出され、次いで注ぎ出され得るか、またはソケットから直接飲まれ得る。
【００６３】
第１の飲料は、ノズルを通して第２の飲料中に直接排出されても、第２の飲料が含有される器の入口を通して第１の飲料を排出することによって排出されてもよい。
【００６４】
好ましくは、第１の飲料は、液体、ゲル、スラリーまたは解けたときに排出することができる凍結製品の形態の食用製品である。好ましくは、第１の飲料は、水、砂糖、アルコール、野菜ジュースもしくは果汁、牛乳などの乳製品またはこれらの混合物を含む食材を含む。第１の飲料があらゆるこれらの食材を含むことは必須ではない。
【００６５】
好ましくは、物品は、単一のユニットである。代わりに、物品は、複数のユニットから構成され、第１のユニットは、ソケットを含み、および第２のユニットは、リザーバ包囲部を包囲する。好ましくは、第１のユニットは、隔壁を含むか、または好ましくは、第２のユニットは、隔壁を含む。
【００６６】
好ましくは、本体または物品は、中空内部を分割する隔壁を含む管から形成される。
【００６７】
好ましくは、飲料容器は、器の首上に飲料を保管するように配置され、かつソケットおよびリザーバ包囲部を形成するために中空内部を分割する隔壁および隔壁を通るノズルを含む管の形態の物品と、リザーバ内の飲料をソケット内に排出するためにリザーバを封止する内部にあるピストンと、オーバーキャップがソケット内に受けられるときにノズルを封鎖するため、器の入口を覆うために一部上にシャッターを含む器に飲料容器を結合するためのオーバーキャップとを含む。
【００６８】
好ましくは、オーバーキャップは、器の開口を覆うオーバーキャップの一部の外周に接合したスカートを含む。好ましくは、スカートは、器上で第２の係止部とインターロックし、かつオーバーキャップが器の首上に加圧されるかまたはねじ込まれるときにオーバーキャップが捻じれることを防止する第１の係止部を含む。有利には、オーバーキャップは、第１の係止部が第２の係止装置から係止解除されて解放されるときにのみ、器の首から捻って外れることができる。
【００６９】
好ましくは、第１および第２の係止装置は、突起、突出またはクレビスを含む。
【００７０】
好ましくは、スカートは、予め選択されたトルクが適用されると、第１の係止部を第２の係止部から係止解除するためにスカートが半径方向に拡張できる弾性材料を含む。
【００７１】
スカートは、保持手段が第１の係止部から係脱するときに拡張することができる。
【００７２】
好ましくは、スカートは、器を受けるために、器の開口を覆うオーバーキャップの一部からオーバーキャップの開口のリムに延在する。
【００７３】
好ましくは、オーバーキャップは、外周隙間によってスカートの第１のリムから分離され、かつ指によって第１のリムに接合される分離リングを含む。好ましくは、分離リングは、第１の係止突起を含む。有利には、指および分離リングは、可撓性であり、トルクが適用されると分離リングが容易に拡張することを可能にし、そのため第１の係止部を第２の係止部から容易に係止解除する。
【００７４】
好ましくは、スカートは、好ましくは、ソケットであるオーバーキャップを受ける飲料容器の一部を係合するために第１のねじ山を含む。
【００７５】
好ましくは、第１の係止部は、ねじ山とオーバーキャップのリムとの間に介在するスカート上にある。
【００７６】
好ましくは、ソケットは、第１の係止部を第２の係止部から係止解除するようにスカートが拡張することを防止するために、オーバーキャップがその中に受けられるとスカートを覆うように配置される。
【００７７】
好ましくは、ソケットとスカートとの間に滑り嵌めが形成される。好ましくは、ソケットは、シャッターがノズルを封鎖する場合にソケット内にオーバーキャップが受けられるとスカートの周囲を滑る。
【００７８】
好ましくは、保持手段は、第１の係止部が配置されるスカートの周囲に滑り嵌めを形成するソケットの外周部である。
【００７９】
有利には、滑り嵌めを形成するソケットの外周部が第１の係止部と係合する場合、オーバーキャップは、オーバーキャップがソケット内に受けられている間に器の首から捻じって外れることができない。
【００８０】
有利には、スカートを拡張させ、第１の係止部を第２の係止部から係止解除させる予め選択されたトルクでオーバーキャップを捻じって外すことにより、オーバーキャップがソケットから除去されると、オーバーキャップは、器の首から容易に除去することができる。
【００８１】
リザーバを包囲し、かつオーバーキャップを受ける飲料容器の一部（好ましくは、その部分は、ソケットおよびリザーバ包囲部を含む本体または物品である）は、捻って外され、容器の首上でオーバーキャップを捻じることなくオーバーキャップからねじり取られ得る。そのため、有利には、物品は、オーバーキャップを器上に連結させたままにし、かつ器の開口を覆っている間に器上の貯蔵位置から除去することができる。
【００８２】
オーバーキャップを受ける飲料容器の一部（好ましくは、その部分は、物品である）がオーバーキャップから取り外された後、オーバーキャップは、器上に露出される。オーバーキャップは、予め選択された量のトルクをオーバーキャップに適用することによって器から除去することができる。トルクによって第１の係止部が第２の係止部から係脱し、オーバーキャップが器から捻って外れる。器への入口は、それにより、覆いが外される。
【００８３】
そのため、有利には、飲料容器および器は、個別に使用することができる。第１の飲料は、容器から個別に排出することができ、および第２の飲料は、器から個別に注ぐことができる。
【００８４】
好ましくは、オーバーキャップは、個別の瓶キャップまたは器が器の入口を閉じる必要がないように瓶キャップまたは器キャップとして機能する。
【００８５】
好ましくは、リザーバは、ピストンおよびピストンが移動可能な本体または物品の管または円筒によって結び付けられる。好ましくは、リザーバは、物品と組み合わせたピストンによって包囲される。
【００８６】
好ましくは、管は、円筒形である断面を有する。好ましくは、管は、内角のない断面または円筒形以外を有するため、角のないピストンの断面は、管の断面に一致する。
【００８７】
好ましくは、リザーバを結び付ける本体の管または円筒部は、透明または半透明である。有利には、リザーバ内の飲料は、観察され得る。好ましくは、透明または半透明部は、リザーバ内の飲料またはリザーバから分注された飲料の容量を示すためにメモリが印されている。有利には、測定された量の飲料を分注することができる。
【００８８】
好ましくは、リザーバは、第１の開口端を有する飲料容器の小室によって部分的に包囲される。好ましくは、小室は、その中でピストンまたは一部が飲料を分注するために絞られるかまたは移動される管または円筒である。
【００８９】
好ましくは、ピストンは、リザーバの最大容積に形成するために第１の開口端の近位に移動可能である。好ましくは、ピストンは、ピストンによって封鎖された本体または物品の第１の開口端の近位で緩衝体によって停止されるまで、リザーバの容積を増加するように移動することができる。
【００９０】
好ましくは、ピストンおよび隔壁は、ピストンの移動によって接触するとリザーバの容積を奪う一致する輪郭を有する。
【００９１】
好ましくは、ピストンは、隔壁によって止められるまでリザーバの容積を低減するように移動可能である。ピストンが第１の解放体の近位にある場合、円筒は、最大容積である。ピストンがリザーバと接触するまで押される場合、リザーバは、容積がゼロである。
【００９２】
好ましくは、隔壁とピストンとは、一致する輪郭を有する嵌合表面を有する。
【００９３】
好ましくは、ピストン頭部は、ピストン頭部における材料の厚さにより、またはリザーバ内へ内方に向いた凹部を備えるピストン頭部の凹形状により、またはピストン頭部を補強するピストン頭部上のリブにより提供される剛性を有する。有利には、剛性は、リザーバ内のピストンの配向を維持し、かつ一致する輪郭を維持することを促進する。
【００９４】
好ましくは、ピストン頭部は、リザーバの柔らかく変形可能な内部表面を有する。好ましくは、ピストン頭部は、可撓性である。有利には、リザーバの内部に面する柔らかく変形可能な表面または可撓性により、ピストン頭部は、隔壁に加圧されたときに隔壁の輪郭に一致する。
【００９５】
有利には、このピストンが隔壁に加圧されると、嵌合表面が接触して、リザーバの容積を奪うことによってリザーバから実質的にすべての飲料を排出する。リザーバ内に容積が残っていないため、すべての飲料が排出される。
【００９６】
好ましくは、リザーバは、管または円筒、ピストンおよびオーバーキャップを受けるために容器の開口からリザーバを分離する隔壁によって包囲される。
【００９７】
好ましくは、ピストンは、一体ユニットである。
【００９８】
好ましくは、ピストンは、好ましくは、摺動シールを含むピストンを用いてリザーバを封止する。有利には、リザーバの内側の飲料も空気もピストンを迂回し得ない。
【００９９】
好ましくは、ノズルは、シャッターがノズルを封鎖すると密封される。有利には、発泡性飲料は、リザーバ内に保管可能である。
【０１００】
好ましくは、摺動シールは、ピストンに外接する。好ましくは、摺動シールは、リザーバを包囲する飲料容器の一部にピストンを封止する。好ましくは、摺動シールは、本体または物品にピストンを封止する。ピストンは、リザーバ内で封止され、およびリザーバは、ピストンによって密封される。
【０１０１】
好ましくは、ピストンは、摺動シールによって外接された頭部を含む。有利には、リザーバ内の飲料および空気は、ピストンを迂回することを防止される。リザーバ内の飲料は、ノズルを通して排出することのみによってリザーバから逃れることができる。
【０１０２】
好ましくは、シャッターは、リザーバが飲料などの非圧縮性材料で満たされているときにピストンが移動できないように、オーバーキャップがソケット内に受けられるときに通路またはノズルを封鎖する。
【０１０３】
好ましくは、摺動シールは、弾性高分子で形成される。
【０１０４】
好ましくは、摺動シールは、ピストンの管状部またはピストン頭部の周囲に外周フラップを含む。好ましくは、摺動シールは、外周フラップの対を含む。フラップは、フラップと、リザーバ包囲部と、ピストン頭部またはピストン管状部との間に封止された容積を形成するためにピストン上で軸方向に離間される。
【０１０５】
好ましくは、ピストン頭部および摺動シールは、一体に形成され、好ましくは単一の材料からなる。
【０１０６】
好ましくは、摺動シールは、外周をリザーバ包囲部と接触させる可撓性Ｏリングを含む。
【０１０７】
好ましくは、摺動シールの可撓性は、好ましくは、可撓性フラップを形成する膜のように薄いピストン頭部の外周付近の材料の厚さによって提供される。
【０１０８】
好ましくは、本体または物品内にある２つの開口の第１の開口は、好ましくは、オーバーキャップを受けるためのソケットの開口である。第２の開口は、好ましくは、飲料容器を組み立てるためにピストンを受けるものである。
【０１０９】
好ましくは、第２の開口は、ピストン頭部への指のアクセスを提供するように配置される。使用者は、飲料を分注するために自らの指でピストンを操作する。有利には、使用者は、ピストンまたは物品の外部ケースの端部上のボタンを押圧することが片手のみで行われ得ることを容易に認識し得る。
【０１１０】
好ましくは、頭部は、剛性材料を含むかまたは剛性材料から形成される。頭部は、リザーバ内の飲料を排出するために、リザーバ、好ましくは物品を包囲し、かつピストンによって閉鎖された飲料容器の一部の開口端から入れた使用者の指で加圧することができる。
【０１１１】
好ましくは、物品と組み立てられたピストンによってリザーバが包囲される本体の一部は、剛性材料を含む。
【０１１２】
有利には、飲料が凍結し、リザーバ内で膨張すると、ピストンは、物品を損傷することなくまたはシャッターが急に開くことなく、凍結した飲料の容積を収容するためにリザーバの容積を増加させるように摺動することができる。リザーバ内の飲料の密閉保管が維持される。
【０１１３】
好ましくは、摺動シールは、ノズルがシャッターからの遮断を解除されるとき、ピストン自体の重量に抵抗してピストンをリザーバ包囲部内の適所に保持する摩擦継手である。ピストンの重量により、ノズルを通してリザーバ内の飲料を排出することができない。ピストンが使用者などによって押されるときにのみ、飲料がノズルを通して排出される。
【０１１４】
有利には、リザーバを包囲する本体または物品は、飲料がノズルから滴り出ることなく、使用者によってオーバーキャップおよび器から携帯して個別に運ばれ得る。
【０１１５】
好ましくは、リザーバ包囲部は、ピストンによって密封された開口端の近位に緩衝体を含み、これは、ピストンがリザーバ包囲部から出ることを防止する。リザーバの最大容積は、緩衝体に抵抗するピストンによって限定される。好ましくは、緩衝体は、組立のためにピストンをリザーバ内に受けることができるが、使用時にリザーバから出ないような形状である。
【０１１６】
好ましくは、摩擦継手は、ピストン自体およびリザーバの最大容積を満たす第１の飲料の重量を保持する。
【０１１７】
好ましくは、ソケットの容積は、飲用カップまたは計量カップとして使用するために予め選択される。
【０１１８】
好ましくは、オーバーキャップが除去されるときのソケット内の容積は、実質的にリザーバの最大容積に等しい。好ましくは、ソケットの容積は、リザーバの最大容積の１００パーセントを超える。好ましくは、ソケットの容積は、リザーバの容積の１１０パーセント未満である。
【０１１９】
好ましくは、リザーバの最大容積は、１０ｍｌ、１５ｍｌ、２０ｍｌ、２５ｍｉｌ、３０ｍｌ、３５ｍｌ、４０ｍｌもしくは５０ｍｌまたはそれを超えるが、好ましくは２５０ｍｌ未満、より好ましくは１００ｍｌ未満である。
【０１２０】
好ましくは、リザーバ内の第１の飲料の一部、好ましくは第１の飲料のすべては、ソケット内に排出され得る。有利には、ソケットは、飲用カップまたは計量カップとして使用され得る。好ましくは、ソケットは、リザーバの最大容積からソケット内に排出された第１の飲料の割合を示すために測定表示手段を有する。
【０１２１】
有利には、第１の飲料は、摩擦継手がピストン自体に対する重量およびリザーバの最大容積を満たす第１の飲料の重量を保持するため、ソケット内に排出された後にリザーバ内に流れて戻らない。これは、ピストンが滑ることおよび飲料がリザーバ内に戻る可能性を防止する。
【０１２２】
好ましくは、摩擦継手は、ピストン自体の重量およびソケットの最大容積を満たす第１の飲料の重量を保持する。好ましくは、ソケットの容積は、リザーバの最大容積と等しい容積の第１の飲料および第１の飲料と混合した別の飲料、例えば第２の飲料の第２の容積を受容する大きさである。有利には、ソケットは、ピストンが滑ることおよび混合した飲料がリザーバに入ることを可能にすることなく、混合した飲料を飲むためのカップとして使用され得る。
【０１２３】
容積に準じて飲料の重量を決定するために、０．９〜１．１の比重が使用されることが好ましい。有利には、ソケット、リザーバの容積および摩擦継手が支持する重量は、特定の比重を有する一般的な第１および／または第２の飲料のための大きさであり得る。
【０１２４】
好ましくは、摺動シールは、ピストン自体の重量および比重１．１を有する飲料の重量ならびにオーバーキャップがソケットから除去されるときのソケットの容積に抵抗して適所にピストンを保持する摩擦継手である。
【０１２５】
オーバーキャップがソケットから除去されるとき、ソケット内に隔壁からソケット開口までの容積がある。ソケットは、隔壁から隔壁開口のリムまで飲料で満たされ得る。これは、ソケットが含有できる飲料の最大容量である。有利には、ソケットは、リザーバ内の第１の飲料をソケット内に排出することにより、または器内の第２の飲料などの別の飲料をソケット内に注ぐことにより満たされ得る。飲料容器および好ましくは物品は、したがって、それから飲料を飲むか、注ぐかまたは混合する便利な保持カップである。
【０１２６】
好ましくは、ピストンまたはノズルの寸法およびピストンが形成される材料は、予め選択された飲料のために配置される。好ましくは、寸法および材料は、リザーバが飲料で満たされているときにノズル内に飲料の柱を維持するように配置される。予め選択された飲料の表面張力、飲料容器の外側の空気圧およびノズルの材料に付着する飲料の親和性は、ノズル内の飲料の柱を維持する。
【０１２７】
有利には、ノズル内の飲料の柱は、空気を遮断するため、空気は、ノズルがシャッターによって封鎖されているときでもノズルを通してリザーバ内に入ることができない。有利には、空気は、リザーバ内に入ることができないため、飲料は、ピストンが摩擦継手によって適所に保持されているときにノズルから出て漏れるか、または滴るか、または垂れることができない。
【０１２８】
好ましくは、折り畳み可能な部分は、リザーバの弾性の変形可能な境界または壁である。
【０１２９】
好ましくは、飲料を分注するために折り畳むことができるかまたは絞ることができる部分は、リザーバの管状部の可撓性部分を含む。好ましくは、可撓性部分は、弾性であり、解放されたときにそれが絞られていないかまたは折り畳まれていない位置に自動的に戻るように配置される。
【０１３０】
好ましくは、飲料を分注するために折り畳むことができるかまたは絞ることができる部分は、使用者がリザーバの容積を変えることを補助するために、ピストンの代わりに押圧可能なボタンを含む。ピストンは、リザーバ内で摺動するのに対して、ボタンは、好ましくは、本体に固定される。
【０１３１】
好ましくは、ボタンは、弾性であり、解放されたときにそれが絞られていないかまたは折り畳まれていない位置に自動的に戻るように配置される。
【０１３２】
好ましくは、押圧可能なボタンは、ノズルから遠位のリザーバの端部にリザーバの境界を形成する。
【０１３３】
好ましくは、押圧可能なボタンは、オーバーキャップを受けるために開口から遠位の外部ケースの端部を閉じる。
【０１３４】
好ましくは、ボタンは、管の端部の周囲に封止される。好ましくは、ボタンは、リザーバの境界を画定する飲料容器の管または管状区分の端部の周囲および飲料容器の外部表面に封止される。
【０１３５】
好ましくは、絞られたときにノズルを介してリザーバから飲料を分注する部分は、弾性または可撓性であり、弾性手段によって作用される。好ましくは、絞られたときに飲料を分注する部分は、ボタンを含む。
【０１３６】
好ましくは、ボタンは、押圧された位置から押圧されていない位置にボタンを促すために、管の壁に結合された弾性の変形可能な部分を含む。
【０１３７】
好ましくは、ボタンを含む弾性の変形可能な部分が絞られた後、その部分は、絞られていない構成に戻る。その部分、好ましくはボタンを繰り返し絞ることにより、飲料は、リザーバから汲み上げられる。
【０１３８】
好ましくは、ボタンが押圧されるたびにリザーバ内の飲料の公知の測定された量が排出される。
【０１３９】
好ましくは、弾性の変形可能な部分は、弾性手段であるフラップを含み、弾性手段は、押圧された位置から押圧されていない位置にボタンを持ち上げるために管の壁からリザーバ内に延在する。
【０１４０】
好ましくは、管は、折り畳み可能な部分を含むリザーバ部品と、ソケットおよび隔壁を含む受け部品とから構成される。
【０１４１】
好ましくは、リザーバ部品は、リザーバを包囲または部分的に包囲するために液密接合部によって受け部品に接合する。
【０１４２】
好ましくは、リザーバ部品および受け部品は、スナップ嵌合、または押圧嵌合、またはねじ山によって結合する。
【０１４３】
好ましくは、オーバーキャップは、瓶開口を覆うためにキャップ上部を含み、オーバーキャップの上部は、ノズルを一時的に受け、かつリザーバを密封するために陥凹部を有する。
【０１４４】
好ましくは、オーバーキャップは、器キャップの上に被せるように配置される。好ましくは、器キャップは、器上にねじ込むねじ込み式キャップである。好ましくは、器の入口は、オーバーキャップと異なるねじ込み式キャップによって閉じられる。好ましくは、ねじ込み式キャップは、低温殺菌の熱に耐えるためにアルミニウムを含み、器内の飲料を低温殺菌した後、器上にあるねじ込み式キャップに取り付けるオーバーキャップは、好ましくは、オーバーキャップの形態に成形された高分子を含む。
【０１４５】
好ましくは、飲料容器は、ねじ込み式キャップを含む。
【０１４６】
本発明の別の態様によれば、器の開口の上に被せるためのオーバーキャップ、オーバーキャップを一時的に包み込み、かつオーバーキャップを受けるための開口とリザーバの容積を変えるための折り畳み可能な部分との間に介在する隔壁を有する管内でリザーバを包囲する外部ケース、飲料をリザーバから出すために隔壁を通過するノズルであって、管は、折り畳み可能な部分を含むリザーバ部品および隔壁を含む受け部品から構成される、ノズルを含む飲料容器を満たす方法があり、方法は、その開口端を上方に開くようにリザーバ部品を反転することと、飲料を開口端内に促すことと、受け部品を開口部品に接合することとを含む。
【０１４７】
好ましくは、リザーバは、少なくとも一部が飲料で満たされる。
【０１４８】
飲料容器が直立している間、飲料は、飲料とボタンとの間に開放空間を備えたリザーバ内に存在する。飲料は、ノズルの孔が通過する隔壁上にある。飲料容器は、好ましくは、飲料容器が反転すると飲料がボタン上にあるように飲料で満たされる。飲料容器が回転して直立に戻ると、飲料の表面とボタンとの間に空間ができ、その空間は、リザーバの外圧に比べて比較的低い圧力である。
【０１４９】
本発明の別の態様によれば、本明細書に記載された飲料容器と器とを含む飲料保管および分注システムがある。
【０１５０】
好ましくは、飲料容器は、リザーバ内に第１の飲料を含有し、および器は、第２の飲料を含有する。
【０１５１】
有利には、飲料分注システムは、好ましくは、食品および飲み物と共に使用するために規制当局によって認可された部品から構成される。
【０１５２】
有利には、飲料分注システムは、経済的に大量生産され、その構成要素は、好ましくは、射出成形できるプラスチックポリマーから製造され得る。当局によって使用が認可されたポリマーが有利に適切である。
【０１５３】
有利には、ボタンは、自動機械でリザーバ部品に容易に封止される。ボタンは、ボタンが容器に接合するまでリザーバ部品の円筒壁の中心軸に沿って直線に移動される。好ましくは、ボタンは、リザーバが飲料で満たされた後に容器に接合されるか、または同様に好ましくは、ボタンが容器にまず接合され、次いで容器が飲料で満たされるために反転される。
【０１５４】
典型的には、容器内の果汁は、炭酸を加えて高圧殺菌される。これは、器のねじ込み式キャップが、圧力を維持する間、必要な時間にわたって高圧殺菌温度に耐えなければならないことを意味する。有利には、飲料分注システムは、業界で標準として使用されるアルミニウムのねじ込み式キャップと互換性がある。したがって、果実飲料は、器に満たされ、蓋をされ、かつ標準の方法によって処理され得る。
【０１５５】
他に分注システム構成要素に適切な一部の高分子は、加熱されて加圧される加圧殺菌器の熱または圧力に耐えられない。典型的には、ガラス器が充填され、次いでアルミニウムのねじ込み式キャップで閉じた後、閉じた器を加圧滅菌処理する。有利には、オーバーキャップおよび物品は、器がねじ込み式キャップによって覆われ、加圧殺菌器内で熱および圧力を受けた後、器に取り付けることができる。
【０１５６】
別の代替手段は、ＰＥＴのようなプラスチック材料から作成された器上の無菌充填線を使用することである。加圧殺菌は、充填前に実行され得るため、ＰＥＴ器およびプラスチックねじ込み式キャップを使用することができる。
【０１５７】
有利には、物品およびオーバーキャップは、交換することができる。そのため、複数の飲料が器内に分注可能である。
【０１５８】
有利には、飲料容器は、好ましくは、使用前に器から分離することができる１つの包装である。
【０１５９】
好ましくは、飲料容器は、飲料を含有および分注するための器の増強装置である。
【０１６０】
本発明の別の態様によれば、リザーバ部品の開口端が上方に開くようにリザーバ部品を反転することと、リザーバ部品内に物質を入れるために開口端内に飲料を促すことと、飲料をリザーバ内に封止するためにリザーバ部品の開口端の円筒壁部のリム上にソケットをスナップ留めすることとを含む、分注される飲料を備えた飲料容器を供給する方法がある。
【０１６１】
好ましい方法では、飲料分注システムは、２つの部品内に物品を供給することによって飲料で満たされる。２つの部品の一方は、ボタンによって封止されたリザーバ部品であり、および２つの部品の他方は、オーバーキャップ上にねじ込まれたソケットである。リザーバ部品は、その開口端が上方に開くように反転される。次いで、飲料は、ボタンによって一端で封止されたリザーバ部品内に飲料を入れるために開口端内に促される。オーバーキャップを備えたソケットは、飲料をリザーバ内に封止するためにリザーバ部品の開口端のリム上にスナップ留めされる。
【０１６２】
有利には、物品は、２つの部品内に供給することができ、すなわち、１つの部品は、ソケットおよびボタンのためのバネまたはフラップのないリザーバ部品の組合せであり、および第２の部品は、バネまたはフラップである。
【０１６３】
飲料分注システムを充填する別の好ましい方法では、３つの部品（リザーバ、ソケットおよびオーバーキャップ）が予め組み立てられる。リザーバ部品は、バネ部品間の空間を通して上から充填される。次いで、充填された容器は、円筒の上部の可撓性ボタンを封止することによって閉じられる。
【０１６４】
本明細書に記載された飲料容器および分注システムならびに方法は、工業的に適用可能な方法で組み合わせ可能な特徴およびステップを含む。容器およびシステムは、方法のステップを可能にする手段を提供する。
【０１６５】
例えば、容器は、別の器または容器を取り付け可能な器のいずれかに種々の飲料を導入するのに有益である。リザーバは、あらゆる飲料の範疇を意図した飲料の形態の種々の香味料を保持するように配置される。その種類には、液体ビタミン、活力、栄養化合物およびエキナセア（Ｅｃｈｉｎａｃｅａ）のような健康エリキシル、それに限らないが、アルコールを含む気分高揚剤、砂糖液、カクテルおよびミキサーのためのエキス、コーヒー、紅茶および他の植物抽出物、ホットもしくはとりわけアイスのいずれかのコーヒーまたは紅茶に加え得る牛乳および牛乳の代替品が含まれる。
【０１６６】
そのため、有利には、容器およびシステムは、香味液を分離し、かつ消費者がリザーバから自らの器内に望む量の香味液を排出することにより、消費者が望む香味または甘味の量を決定できる有益な方法で香味液を保管する手段を提供する。消費者は、リザーバから別の器に排出することもできる。
【０１６７】
リザーバから飲料を分注するために絞られるかまたは移動されるように適合された本体の一部は、ピストンまたはボタンのいずれでもあり得る。
【０１６８】
次に、例のみとして添付図面を参照して本発明について説明する。
【図面の簡単な説明】
【０１６９】
【図１】本発明による飲料容器に組み立てられた部品を示す断面図である。
【図２】本発明における瓶の首上の元の位置にある飲料容器の物品の図である。
【図３】本発明による瓶の首の開口を覆う器キャップの図である。
【図４】本発明による瓶の首上の元の位置にある器キャップを覆うオーバーキャップの図である。
【図５】本発明による液体容器を受けるための瓶の首を有する瓶の側面図である。
【図６】本発明による液体容器を受けるための瓶の首を有する瓶の開口内の図である。
【図７Ａ】本発明によるオーバーキャップの外側の図である。
【図７Ｂ】本発明によるオーバーキャップの内側の図である。
【図７Ｃ】本発明によるオーバーキャップの断面図である。
【図８Ａ】本発明によるソケットの上面図である。
【図８Ｂ】本発明によるソケットの断面図である。
【図８Ｃ】本発明によるソケットの外側の図である。
【図８Ｄ】本発明によるソケットの内側の図である。
【図８Ｅ】本発明によるソケットの側面図である。
【図８Ｆ】本発明によるソケットの底面図である。
【図９Ａ】本発明によるリザーバ部品の外側の図である。
【図９Ｂ】本発明によるリザーバ部品の上面図である。
【図９Ｃ】本発明によるリザーバ部品の断面図である。
【図９Ｄ】本発明によるリザーバ部品の側面図である。
【図９Ｅ】本発明によるリザーバ部品の内側の図である。
【図９Ｆ】本発明によるリザーバ部品の底面図である。
【図１０Ａ】本発明によるボタンの上面図である。
【図１０Ｂ】本発明によるボタンの断面図である。
【図１０Ｃ】本発明によるボタンの外側の図である。
【図１０Ｄ】本発明によるボタンの側面図である。
【図１０Ｅ】本発明によるボタンの底面図である。
【図１０Ｆ】本発明によるボタンの内側の図である。
【図１１】ピストン型分注部を含む液体容器の外部の等角図を示す。
【図１２】図１１における液体容器の断面図を示し、ピストンは、隔壁から最も遠位に配置され、およびリザーバは、最大容積である。
【図１３】液体容器の断面図を示し、ピストンは、リザーバが半分の容積であるところに配置されている。
【図１４】液体容器の断面図を示し、ピストンは、リザーバが容積ゼロであるところに配置されている。
【図１５】ピストンの端視図を示す。
【図１６】ピストンの断面図を示す。
【図１７】ピストンの等角図を示す。
【発明を実施するための形態】
【０１７０】
図を参照すると、飲料容器１０００、１１０００の２つの実施形態が示されている。第１の実施形態１０００は、図１〜１０に示されている。第２の実施形態は、図１１〜１７に示されている。いずれの実施形態も、本体から取り外し可能なオーバーキャップ１２０を含む。図１〜１７では、本体は、一緒に組み立てられた複数の部品を含む。第１の実施形態では、本体は、第１の実施形態の物品３００およびボタン１６０を含む折り畳み可能な部分を含む。第２の実施形態では、本体は、第２の実施形態の物品１３００およびピストン６００を含む。
【０１７１】
いずれの実施形態でも、オーバーキャップは、本体を飲料器２００に取り外し可能に連結させ、かつ器２００への入口を覆う。本体の一部は、飲料を本体のリザーバから本体を通る通路を通して分注するために絞られるかまたは移動されるように適合される。第１の実施形態では、この部分は、ボタン１６０を含む。第２の実施形態では、この部分は、ピストン６００を含む。
【０１７２】
いずれの実施形態も、オーバーキャップ１２０と、本体が器２００から取り外されているときにオーバーキャップ１２０を器上に保持するように協働する、オーバーキャップを受けかつそれに取り付ける本体の一部とを特徴とする。第１の実施形態では、本体のこの部分は、オーバーキャップに連結する部品の管状ケース３１３を含む。第２の実施形態では、本体のこの部分は、開口端１３２０に近位のソケット部の管状ケース１３００の一部を含む。
【０１７３】
より詳細には、両方の実施形態に対する図において、隔壁３１５、１３１５を通るノズル３１６、１３１６を含む、ソケット３１０、１３１０およびリザーバ包囲部３３０、１３３０を形成するために、内部を分割する隔壁３１５、１３１５を含む対向する開口端３０２、１３０２、３２０、１３２０を有する中空内部がある物品３００、１３００を含む、第２の飲料のための器２００の首上に第１の飲料を保管するための飲料容器１０００、１１０００が示されている。具体的には、図１１〜１６では、リザーバ１５００内で摺動可能なピストン６００が示されている。具体的には、図１〜１０では、リザーバ５００内で取り外し可能な別の取り外し可能な部分１６０が示されている。すべての図において、リザーバ５００、１５００内の第１の飲料をソケット３００、１３００内に排出するための取り外し可能な部分が提供されている。すべての図において、瓶の首の開口である器の入口を覆うためのオーバーキャップ１２０がある。オーバーキャップは、オーバーキャップがソケット内に受けられるときにノズルを封鎖するために上部にシャッター１２６を含む。使用時に器の入口を覆うオーバーキャップの部分は、これが要求されるわけではないが、典型的には入口を上方にして器が保管されるため、典型的にはオーバーキャップ上部の上部である。
【０１７４】
それにより、図１〜１０における第１の実施形態の整数は、ピストン６００に対するボタン１６０の作動を特定する整数を除いて、図１１〜１７における第２の実施形態の整数と概ね交換可能であることが明らかである。
【０１７５】
瓶の形態の器２００に嵌合した飲料容器１０００の物品３００の外部ケースの外部の断面図が図１に、外部の図が図２に示されている。液体容器は、瓶の開口の上に被せるためのオーバーキャップ１２０、オーバーキャップ１２０を一時的に包み込み、かつオーバーキャップ１２０を受けるための開口と、リザーバ５００の容積を変えるために折り畳み可能な部分１６０との間に介在する、隔壁３１５を有する管内でリザーバ５００を包囲する外部ケースを含む物品３００、液体をリザーバから出すために隔壁３１５を通過するノズル３１５を含む。
【０１７６】
図１、２、１１および１２に示されるように、物品３００、１３００は、管または管状外部ケースおよび隔壁３１５、１３１５から形成される。管または管状外部ケースは、隔壁３１５、１３１５とピストン６００またはボタン１６０との間に介在するリザーバ包囲部３３３、１３３３を含む。管または外部ケースは、隔壁とソケットの１３２１との間に介在するソケット部３１０、１３１０も含む。物品は、中空内部を分割する隔壁３１５、１３１５も含む。
【０１７７】
器キャップ１１０は、瓶の首上にねじ込まれる。器キャップは、上部１１４を有する。オーバーキャップ１２０は、器キャップ１１０を覆う。ソケット３１０は、オーバーキャップ１２０を覆う。器キャップは、ねじ込み式キャップである。
【０１７８】
図１および２において、物品３００は、オーバーキャップおよびリザーバ部品３３０に結合するためにソケット３１０を含むが、これは、図１１に示されるように物品３００が単一のユニットであり得るために必須ではない。ソケット３１０は、リザーバ部品３３０にスナップ結合される。
【０１７９】
物品３００は、図８および図９で見られる管状壁３１３、３３３を含む。隔壁３１５で物品３００を形成する外部ケースの管状壁部品である。
【０１８０】
物品３００の外部ケースは、リザーバを閉じるために折り畳み可能な部分によって閉鎖されるリザーバ包囲部３３０の開口端３０２を有する。外部ケース３００は、瓶の首上にオーバーキャップ１２０を受けるために遠位開口端３２０を有する。
【０１８１】
折り畳み可能な部分１６０は、液体を排出するために押され得る可撓性ボタンを含む。ボタンが押されると、ボタンは、曲がり、リザーバの容積を変えるためにリザーバ内に押圧される。
【０１８２】
物品３００は、折り畳み可能な部分を形成する押圧可能なボタン１６０によって端部３０２が閉じられる。ボタンは、図１および図１０に見られる。
【０１８３】
管状壁の内部表面は、円筒形瓶の首上にねじ込むために円筒形である。必須ではないが、物品３００の外部ケースは、円筒管を含む。
【０１８４】
物品３００の外部ケースは、オーバーキャップ１２０を受けるための開口端および隔壁を形成する基部３１５を有する。基部３１５は、管内から円筒壁３１３を閉じる。基部は、リザーバ５００の境界を形成する。基部３１５は、オーバーキャップを受けるために外部ケース内の開口３２０から遠位端にある。
【０１８５】
ノズル突出部３１４は、基部３１５から延在する。必須ではないが、ノズル突出部は、外部ケースの軸中心に配置され、かつ軸方向に延在する。ノズルは、オーバーキャップ１２０と連結することによって封止される。ノズル３１６は、図１および図８に見られる。
【０１８６】
ボタン１６０は、リザーバの容積を変えるためにリザーバ５００内に押圧可能である。ボタンを押圧することにより、リザーバ５００内のあらゆる液体がノズル３１４を通して出るように促される。しかし、物品３００のソケット３１０がオーバーキャップ１２０から離断されるまで、ノズルは、オーバーキャップ１２０と連結するシャッターによって封止されているため、リザーバ５００内のいかなる飲料も逃れることができない。
【０１８７】
瓶２００は、瓶の開口の近位に首を有する。首は、ねじ込み式キャップ１１０を係合するためにねじ山２１０を有する。ねじ山は、瓶の開口と首上の外周リッジ２２０との間に介在して配置される。
【０１８８】
ねじ込み式キャップ１１０は、瓶の首上でねじ山２１０と係合するためにねじ山１１２も有する。
【０１８９】
オーバーキャップ１２０は、瓶の首および瓶の開口を覆う。オーバーキャップ１２０は、首上にねじ込まれたねじ込み式キャップ１１０も覆う。オーバーキャップ１２０は、図１、図４および図７に見られる。
【０１９０】
オーバーキャップ１２０は、開口端の第１のリム１２３を備えた開口端式円筒の形態を有する。
【０１９１】
図７Ｂおよび７Ｃに示されるように、オーバーキャップ１２０の円筒壁の内面上に軸方向に位置合わせされたリブ１３４がある。オーバーキャップ１２０のリブ１３４は、ねじ込み式キャップがオーバーキャップ１２０と一緒に瓶から回して外れるように、ねじ込み式キャップの円筒壁を把持する。
【０１９２】
図７Ｂに示されるように、軸方向に位置合わせされたリブは、器への入口を覆うオーバーキャップの一部からオーバーキャップの第１のリム１２３の近位まで延在する。図７Ｂに示されていないが、オーバーキャップは、入口を覆う部分の近位から、入口を覆う部分と第１のリム１２３との間のほぼ中間まで延在する、軸方向に位置合わせされたリブも提供され得る。
【０１９３】
オーバーキャップは、開口端式円筒の一端を閉じる上部１２４を有する。上部１２４は、したがって、第１のリム１２３から開口端式円筒の遠位にある。
【０１９４】
オーバーキャップ上部１２４は、オーバーキャップの上部に中心陥凹部１２６の形態のシャッターを有する。
【０１９５】
ノズル突出部３１４は、オーバーキャップ１２０がソケット３１０から除去されると、中心陥凹部１２６から引き抜かれる。そのため、シャッターは、オーバーキャップ１２０がソケット３１０から除去されると、ノズル３１６の遮断を解除する。
【０１９６】
中心陥凹部１２６は、オーバーキャップが瓶の首に固定されると、ねじ込み式キャップの上部１１４と接触するように促される。
【０１９７】
オーバーキャップ１２０は、ねじ込み式キャップの上部１１４を損傷から保護する。中心陥凹部は、ノズルとねじ込み式キャップの上部１１４との間に介在する部分を含む。その部分は、ボタンが押圧された際にノズルがリザーバ内で過度の圧力によって下方に屈折される場合、上部がノズルによって損傷しないように覆い隠す。
【０１９８】
オーバーキャップは、ねじ込み式キャップの上のいかなる回転運動も止めるために、ねじ込み式キャップの上部１１４上に緊密に嵌合する。
【０１９９】
オーバーキャップ１２０は、第１のリム１２３の外周より大きい外周を有する分離リング１２８も含む。分離リング１２８は、外周隙間１３０によって第１のリム１２３から分離される。分離リング１２８は、外周隙間１３０に跨る指１２９によって第１のリングに連結される。
【０２００】
分離リング１２８は、第１のリム１２３よりもオーバーキャップ１２０の上部１２４から遠位に配置された第２の外周リム１３１をオーバーキャップ１２０に提供する。
【０２０１】
分離リング１２８は、瓶の首上の突起である、瓶の首上に半径方向に隆起した係止部２２２の上に嵌合する。分離リングは、瓶の首上の隆起した係止部２２２に突き当たる係止突出部１３７を有し、外装３００がオーバーキャップから回して外されるときにオーバーキャップのいかなる回転も防止する。
【０２０２】
隆起停止部は、図７Ｂおよび７Ｃに示されているが、これは必須ではない。オーバーキャップ１２０は、分離リング１２８を含むスカート１２５を含む。スカート１２５は、オーバーキャップ１２０の上部１２４の外周に接合される。スカートは、係止突出部である第１の係止装置１３７を有する。第１の係止装置１３７は、器上の第２の係止装置２２２と係合する。第２の係止装置は、瓶の首上の隆起した突起２２２である。オーバーキャップ１２０が器の首上に加圧されるかまたはねじ込まれて第１および第２の係止装置が係合されると、第１および第２の係止装置は、オーバーキャップが捻じれることを防止する。
【０２０３】
スカート１２５は、予め選択されたトルクがオーバーキャップに適用されると、第１の係止部が第２の係止部から係脱するためにスカートが半径方向に拡張できる弾性材料を含む。
【０２０４】
オーバーキャップ１２０は、ソケット３００、１３００がオーバーキャップ１２０から回して外れた後にのみ、瓶から回して外れることができる。
【０２０５】
オーバーキャップ１２０がソケット３１０、１３１０内にねじ込まれると、ソケット３００の管状ケース３１３、１３１３は、オーバーキャップ１２０を覆う。
【０２０６】
上記のように、第１および第２の係止装置１３７、２２２は、オーバーキャップ１２０を瓶の首と係合させ、オーバーキャップ１２０が回って緩み、偶発的にねじが外れることを防止する。
【０２０７】
オーバーキャップの分離リング１２８を含むスカート１２５は、分離リングがより大きい直径に自由に拡張するときにのみ、突起１３７を「飛び越える」ことができる。ソケット３１０、１３１０の管状壁３１３は、オーバーキャップ１２０を取り巻き、オーバーキャップが拡張することを防止する。これにより、オーバーキャップのスカート上の突起１３７が瓶の首上の突起２２２を飛び越えることができないため、第１の係止部１３７が第２の係止部２２２から係脱することを防止する。突起２２２は、瓶の首の直径を局所的に増加させる隆起リッジである。
【０２０８】
必須ではないが、突起の有効性は、図６に示されるように、瓶の首の軸と軸方向に位置合わせされた複数の外周に隣接した隆起停止部２２２の１つであることによって改善される。必須ではないが、突起２２２の有効性は、オーバーキャップ上の第１の突起１３７と反対側の直径方向に対向するオーバーキャップ上の第２の突起と係合するために、瓶の首上の直径方向に対向する突起２２３を含むことによって２倍になる。
【０２０９】
外装３００がオーバーキャップ１２０から除去されると、シャッター１２６は、ノズル開口３１６、１３１６の遮断を解除する。そのため、ノズル突出部３１４、１３１４とオーバーキャップ１２０との間の封止も除去される。それにより、外装は、ボタン１６０またはピストン頭部６００を押圧することによって引き起こされる折り畳み可能な部分を折り畳むことにより、ノズルを通してリザーバ内のあらゆる液体を分注するように準備が整う。
【０２１０】
オーバーキャップ１２０は、ねじ込み式キャップ上に着座する。オーバーキャップ１２０の上部上の中心陥凹部１２６は、ねじ込まれてねじ込み式キャップ１１０の上部１１４と接触する。そのため、陥凹部１２６の底部において、オーバーキャップ１２０の内側上部は、組み立てるときにねじ込み式キャップ１１０の上部に接触する。分離リング１２８と瓶の首上の外周リッジ２２０との間に隙間空間が残存する。
【０２１１】
中心陥凹部１２６は、オーバーキャップ１２０の上部１２４の中心にある凹みである。中心陥凹部は、突出部３１４によって画定されたノズルおよびソケット３１０の基部を形成する隔壁３１５から突出する孔３１６を受容する。ノズルは、３１６であり、中心陥凹部内に封止される。
【０２１２】
中心陥凹部は、ノズルの突出部３１４の周囲を封止し、経時的に瓶またはリザーバ内の液体を劣化する酸素のいかなる侵入、および伸びた保管可能期間または強引な取り扱いに起因するリザーバからの液体のいかなる損失も止めるために密封シールとして作用する。
【０２１３】
シールはまた、ボタン１６０またはピストン６００など、リザーバ５００から第１の飲料を排出するためのディスペンサが押圧される場合でも、リザーバ５００内の第１の飲料が分注されることを防止する。
【０２１４】
突起１３７は、分離リング１２８の内部側面から内方に突出する。突起は、リングの中心に向かって内方に突出する。歯１３７は、リング１２８の第２のリム１３１から外周隙間１３０に隣接したリング１２８の縁部まで延在する。瓶のねじ山の側面上で瓶の開口から遠位の瓶の首上の別の突起２２２は、オーバーキャップ１２０が瓶上に完全にねじ込まれると、分離リング上の突起１２７を係合する。
【０２１５】
オーバーキャップ１２０の円筒部の外側に雄ねじ山１３３がある。雄ねじ山１３３は、円筒部の外側の周囲を１回転移動する。雄ねじ山１３３は、３００のソケット３１０上の雌ねじ山３１８を係合し、部品３１０は、オーバーキャップ１２０に連結可能かつ離断可能である。
【０２１６】
物品３００は、オーバーキャップ１２０から回して外すことができ、それにより瓶の首の外周リッジ２２０のために開封明示式離断リング３１１を破壊する。離断リング３１１は、瓶上に残る。
【０２１７】
物品は、リザーバ内の第１の飲料と共に首上の背後に離断リングを残すことなく器から解放することができない。そのため、開封が明らかになるはずである。
【０２１８】
物品３００を除去することにより、ノズル突出部３１４は、シャッター１２６から解放される。次いで、飲料容器１０００からオーバーキャップ１２０を取ると、リザーバ５００から第１の飲料をあらゆる空間に排出する準備が整う。
【０２１９】
瓶２００から物品３００の回して緩める間、オーバーキャップ１２０は、オーバーキャップ１２０の分離リング１２８上の歯１３７および瓶の首上の対応する歯２２２によって回転を遮断される。オーバーキャップ１２０の底リングを覆う円筒壁は、分離リング１２８上の歯１３７が瓶の首上の対応する歯２２２上を滑ることを防止する。
【０２２０】
外部ケース３００が瓶から回して外れた後、オーバーキャップは、瓶上に残る。
【０２２１】
オーバーキャップ内の第１の係止装置である突起１３７は、物品３００が除去されると、瓶上の第２の係止装置である突起２２２を飛び越えることができる。次いで、オーバーキャップ１２０およびこのオーバーキャップ１２０の内側のねじ込み式キャップを回して外すことができる。ねじ込み式キャップに係止された露出したオーバーキャップ１２０を回して外すと、オーバーキャップ１２０は、通常の方法で瓶２００からねじ込み式キャップ１１０を回して外す。
【０２２２】
ソケット３１０の外部ケースは、ねじ込み式キャップ１１０および外部キャップ１２０を覆う。ソケット３１０およびリザーバ包囲部３３０である物品３００の管状外部ケース３１３、３３３は、図２に示されるように瓶の開口を覆う瓶の首上に見られる。ねじ込み式キャップ１１０および外部キャップ１２０は、外部ケース３００が透明でない限り見えない。
【０２２３】
物品３００は、オーバーキャップ１２０のためのソケット３１０およびリザーバ部品３３０を含む。ソケット３１０は、リザーバ部品３３０にスナップ結合される。
【０２２４】
オーバーキャップのためのソケット３１０の概形は、基部３１５によって一端が閉じ、かつ遠位端が開いた円筒壁３１３を備えた開口端式円筒である。円筒壁３１３の上部リムの周囲に外周スロット３１２がある。
【０２２５】
リザーバ部品３３０の概形は、一端が開き、かつ他端から円筒壁３３３によって分離された開口端式円筒である。他端は、可撓性フラップ３３５によって部分的に閉じられる。
【０２２６】
リザーバ部品３３０の開口端リムの近位に外周リッジ３３２がある。外周リッジ３３２は、オーバーキャップ１２０のためのソケット３１０の外周スロット３１２にスナップ留めされ、それにより、オーバーキャップ１２０のためのソケット３１０がリザーバ部品３３０に連結する。それにより、オーバーキャップのためのソケット３１０の基部３１５およびリザーバ部品３３０の円筒壁によって結び付けられたリザーバ５００が形成される。
【０２２７】
リザーバ部品３３０の円筒壁は、外周スロット３１２にスナップ留めされるように外周リッジ３３２に対して弾性的に可撓性である。それにより、液密シールが形成される。
【０２２８】
リザーバ部品３３０およびオーバーキャップのためのソケット３１０は、オーバーキャップ１２０がそうであるように高分子材料を含む。金属材料などの他の材料も使用され得る。
【０２２９】
これらの材料は、可撓性である。分離リング１２８、離断リング３１１および可撓性フラップ３３５は、伸ばして折り曲げることができ、折り曲げるかまたは伸ばされたときにそれらの元の位置に動いて戻るために跳ね返ることができる。
【０２３０】
折り畳み可能な部分１６０は、ノズルを通して液体を汲み上げるために繰り返し汲み上げられ得る。折り畳み可能な部分が液体をリザーバから汲み上げるために押圧されるたびに、折り畳み可能な部分は、弾性である可撓性フラップ３３５によって押圧されていない位置に跳ね返って戻るように促される。
【０２３１】
折り畳み可能な部分が跳ね返って戻ると、空気は、ノズルを通してリザーバ内に引き寄せられる。空気は、折り畳み可能な部分が押圧されるときにリザーバから液体を汲み上げることを促進する。
【０２３２】
オーバーキャップのためのソケット３１０の円筒壁３１３は、リザーバ部品３３０の円筒壁３３３と同じ直径を有する。
【０２３３】
オーバーキャップのためのソケット３１０は、ソケットの円筒壁３１３と同じ直径を有する離断リング３１１を含む。
【０２３４】
ソケットの円筒壁３１３は、瓶２００の首上の外周リッジ２２０の外径と同じ内径を有する。
【０２３５】
円筒壁３１３の長さは、オーバーキャップがノズル軸方向突出部３１４によって遮断されるまで、オーバーキャップのためのソケット３１０がオーバーキャップ１２０上にねじ込まれるような大きさである。円筒壁３１３の開口端３２１のリムは、瓶の首の外周リッジ２２０まで延在する。
【０２３６】
離断リング３１１は、脆弱なストリンガ３１７によって円筒壁３１３の開口端３２１のリムに接合される。離断リング３１１は、円筒隙間によってリムから分離される。
【０２３７】
離断リング３１１は、半径方向内方に延在する窪みまたは外周リッジ３１９を含む。窪みまたはリッジ３１９は、瓶の首上の外周リッジ２２０の直径より半径方向内方にさらに延在する。
【０２３８】
脆弱なストリンガ３１７は、外周リッジ３１９を含む離断リング３１１が瓶の首上の外周リッジ２２０の上で一時的に伸びることができるように弾性的に可撓性である。
【０２３９】
オーバーキャップ１２０のためのソケット３１０がオーバーキャップ１２０上にねじ込まれると、離断リング３１１は、外周リッジ２２０を越えて駆動される。次いで、離断リング３１１は、スナップ留めして戻る。オーバーキャップ１２０のためのソケット３１０は、離断リング上の窪みまたは外周リッジ３１９が瓶上で外周リッジ２２０によって遮断されるため、脆弱なストリンガ３１７を壊さずに除去することができない。
【０２４０】
外部ケース３００は、脆弱なストリンガ３１７を壊し、離断リング３１１を瓶上の背後に残すことのみにより、瓶から除去することができる。これは、外部ケース３００が一緒にスナップ留めされたオーバーキャップ１２０のためのソケット３１０およびリザーバ部品３３０を含むからである。
【０２４１】
オーバーキャップ１２０のためのソケット３１０の３１５の基部は、リザーバ部品３３０の開口端を閉じて遮断する隔壁である。基部３１５は、オーバーキャップ１２０のためのソケット３１０にスナップ連結されるリザーバ部品３３０によって形成されたリザーバ５００の底部である。
【０２４２】
ソケットの基部３１５は、円板の概形を有する。基部３１５は、リザーバ５００からすべての液体をより容易に空けるために、図１および図８Ｂに示されるようにわずかに円錐状である。
【０２４３】
基部３１５の中心にノズルの軸方向突出部３１４がある。ノズルの軸方向突出部３１４は、オーバーキャップ１２０のためのソケット３１０の中空内部内に延在する。
【０２４４】
ノズルの軸方向突出部３１４は、孔３１６を有する。孔３１６は、ソケットの基部３１５を通して延在する。孔３１６は、リザーバ５００内の液体のためのリザーバ５００から出る逃し導管を提供する。
【０２４５】
オーバーキャップ１２０のためのソケット３１０の円筒壁上に雌ねじ山３１８がある。雌ねじ山３１８は、基部３１５と円筒壁３１３の開口端３２０との間に介在して配置される。雌ねじ山３１８は、円筒壁３１３の内部の周囲を１回転移動する。
【０２４６】
オーバーキャップ１２０のためのソケット３１０は、オーバーキャップ１２０の上部をソケット３１０内に挿入することによってオーバーキャップ１２０に連結される。次いで、ソケットは、雌ねじ山３１８がオーバーキャップの雄ねじ山１３３を係合するようにオーバーキャップ１２０上にねじ込まれる。オーバーキャップ１２０のためのソケット３１０は、軸方向突出部３１４がオーバーキャップ上部１２４内で陥凹部１２６の封止に接触するまでねじ込まれ得る。
【０２４７】
軸方向突出部３１４は、オーバーキャップ１２０の中心陥凹部１２６内に嵌合する。ソケットの基部３１５の軸方向突出部３１４は、オーバーキャップの中心陥凹部１２６に対して設置される。基部３１５は、外部ケースの内部のリザーバ５００と外部ケースの開口端との間に隔壁を形成する。次に、オーバーキャップの中心陥凹部１２６は、ねじ込み式キャップ１１０の上部１１４に対して設置される。
【０２４８】
突出部３１４および孔３１６は、液体の流れがリザーバから出るように方向付けるためにノズルを形成する。ノズルは、液体が排出した後にボタン１６０がその開始位置に戻ると、気体がノズルを通してリザーバ内に引き戻され、液体がノズルから滴らないような特定の直径および長さである。ボタンのこの位置では、リザーバ内に残っている液体は、液体が孔３１６のノズル開口、したがって気体、通常、空気の入口を遮断しているために逃れることができない。使用時、液体容器は、ボタン１６０が作動されると通常瓶から除去される。そのため、ボタンがその開始位置に戻ると、空気が容器の外側からリザーバ内に引き寄せられて戻る。
【０２４９】
図８に示される開口ノズルの孔３１６の代替手段として、ノズルは、孔を遮断するために２方弁を含む。
【０２５０】
「瓶を開くために、外部ケース３００は、脆弱なストリンガ３１７を回し緩めて壊すことによって除去される。オーバーキャップ１２０およびねじ込み式キャップ１１０は、瓶の開口から回して外される。」
【０２５１】
組み立てられた後、オーバーキャップ１２０およびねじ込み式キャップ１１０は、連結されたままである。図７Ｂおよび７Ｃに示されるオーバーキャップ１２０の内壁にある垂直リブ１３４は、図３に示されるオーバーキャップ１１０の垂直円筒の上端上のリブと噛合する。噛合したリブは、回して緩めるときにオーバーキャップ１２０上の回転力をねじ込み式キャップ１１０に伝達する。
【０２５２】
リザーバ包囲部３３０およびソケット３１０は、隔壁３１５によって分割された物品３００の外部ケース３１３、３３３によって形成される。
【０２５３】
リザーバ５００の周囲にリザーバ包囲部３３０を含む物品３００の端部３０２は、ソケット３１０を含む物品の端部３２０の遠位で反対側にある。物品３００が瓶の開口を覆っているとき、リザーバ包囲部３３０は、瓶の開口から遠位にある。外部ケースの開口端は、隔壁３１５によって閉じられる。
【０２５４】
外部ケースの開口端から最も遠位の外部ケースの端部は、外周シート３３７を含む。シート３３７は、円筒壁の内面からリザーバ内に延在する。シート３３７は、リザーバから外方に面する滑面を有する。滑面は、シール面に封止した接合部を形成するように配置される。
【０２５５】
外部ケース３００がオーバーキャップのためのソケットおよびリザーバ部品３３０を含むとき、リザーバ部品は、シート３３７を含む。
【０２５６】
瓶から最も遠位の外部ケース３００の端部は、可撓性フラップ３３５によって部分的に閉じられたリザーバ部品の端部を含む。可撓性フラップ３３５は、円筒壁３３３の内面上の平滑シート３３７から半径方向内方に延在する。
【０２５７】
折り畳み可能な部分は、ボタン１６０の周囲に外周シール面１６２を有する。シール面は、平滑シート３３７上に着座する。ボタンに対する封止は、円形シール面が平滑シート３３７に対して封止されるまで、フラップ３３５を含む外部ケースの端部内にボタン１６０を挿入することによって達成される。ボタンの外周は、外部ケースの端部に固定され、かつ永久にそこに配置される。
【０２５８】
フラップ３３５は、上部可撓性ボタンの真下にあり、かつ上部可撓性ボタンに接触する。６つの上方に湾曲して成形されたフラップ３３５がその間に空間を備えて存在する。可撓性ボタン１６０が押し下げられるため、成形されたフラップも押し下げられる。フラップ３３５は、円筒壁３３３から延在するリザーバ部品３３０の成形された部品であり、剛性および記憶を有する射出成形された高分子から作成されるため、フラップ３３５は、バネとして作用し、もはや移動できなくなるまでボタンへの下方圧力に徐々に抵抗する。この時点でフラップ間の空間が消滅し、下方へのいかなるさらなる動きも停止する。
【０２５９】
押し下げられたボタンのこの移動量は、リザーバから瓶内に液体を投与する容量を画定する。フラップのバネ効果により、可撓性ボタンがその元の位置に戻って次の投与のために準備を整える。
【０２６０】
それにより、オーバーキャップ１２０のためのソケット３１０の基部３１５およびリザーバ部品３３０の円筒壁によって結び付けられたリザーバ５００は、ボタン１６０によって包囲される。リザーバは、液密に封止される。
【０２６１】
ボタン１６０は、円形シール面からボタンの中心に可撓性凸状隆起を有する。可撓性凸状隆起を押し下げることにより、リザーバ５００内の液体を過圧する。
【０２６２】
ボタン１６０からリザーバ５００の遠位壁にオーバーキャップ１２０のためのソケット３１０の基部３１５がある。
【０２６３】
図１１、１２、１３、１４、１５および１６は、飲料容器１１０００のための物品１３００およびピストン６００を示す。しかし、飲料容器は、図７Ａ、７Ｂおよび７Ｃに示されるオーバーキャップ１２０を含み、オーバーキャップ１２０は、図１１〜１６に示されていないため、完全な飲料容器１１０００は、図１１〜１６に示されていない。
【０２６４】
図１２〜１４から、分注部がリザーバ内に取り外し可能なピストン６００をどのように含むかを見ることができる。リザーバ５００は、ピストン６００および液体容器内に形成された円筒３３３によって結び付けられる。図１２では、液体容器１１０００の断面は、オーバーキャップを除いて示されている。外部ケース１３３３は、管状であり、隔壁３１５によって分離された２つの対向する開口端３０２、３２０を有する。
【０２６５】
外部ケース１３００は、リザーバ１５００を部分的に包囲する区分１３３０を含む。区分１３３０は、隔壁１３１５とピストン６００との間に介在する。
【０２６６】
外部ケース１３００は、遠位開口端１３２０のリム１３２１を通してオーバーキャップ１２０を受ける第２の区分１３１０も含む。第２の区分は、隔壁１３１５とリム１３２１との間に介在する。
【０２６７】
オーバーキャップにねじ込むために外部ケース１３００に対する第２の区分上に雌ねじ山１３１８がある。
【０２６８】
リザーバ包囲部１３３０は、隔壁１３１５および物品の管状ケース１３３３によって形成される。
【０２６９】
ピストン６００は、リザーバ包囲部１３３０内で摺動し、物品の管状ケースに封止され、物品は、図１１では円筒に示されている。
【０２７０】
ピストンは、単一のユニットである物品１３００内に示されているが、物品が単一のユニットであることは必須ではない。物品１３００は、上記のように図１、８Ａ〜８Ｆおよび９Ａ〜９Ｆに示されるように、分離リザーバ包囲部３３０および隔壁３１５、１３１５に近位の接合部に連結したソケット３１０を含み得る。
【０２７１】
図１１では、ピストン頭部の外部表面６５０は、ピストン６００によって閉鎖されたリザーバ１５００の開口端１３０２を通して見ることができる。リザーバ包囲部１３３０の円筒管状ケース１３３３の一部は、ピストン６００と開口端のリム１３０４との間に介在して見える。
【０２７２】
ピストン６００は、ピストン頭部６５０上を押圧することによって移動可能である。ピストン頭部６５０は、ピストン６００によって封鎖されたリザーバ包囲部内の開口１３０２を通して使用者の指によってアクセス可能である。
【０２７３】
物品１３００は、リザーバ包囲部１３３０の周囲に管状ケース１３３３を含む。リザーバ包囲部１３３０の開口端１３０２を画定する管状ケースの開口端１３０２上にリム１３０４がある。
【０２７４】
ピストン６００は、隔壁１３１５からピストンによって閉鎖された開口端１３０２のリム１３０４まで管状ケース１３３３の管状壁または円筒壁に沿って摺動する。
【０２７５】
図１２に示されるように、ピストン６００がリム３０４の近位にある場合、リザーバ５００は、最大容積を有する。ピストンがこの位置にあるとき、リザーバは、第１の飲料の最大容積を保持する。
【０２７６】
リム１３０４の近位に管状ケース１３３３は、リザーバ包囲部１３３０の内部に突出する緩衝体を含む。
【０２７７】
ピストン６００が緩衝体３０４、１３０４に当たっているとき、リザーバの容積は、図１２に示されるように最大である。緩衝体は、ピストン６００がリザーバ包囲部３３０、１３３０から出ることを防止する。
【０２７８】
リザーバ１５００は、管状ケース１３３３およびピストン頭部の内部表面６５１ならびにオーバーキャップ１２０を受けるために容器３００内で開口３２０からリザーバ５００を分離する隔壁３１５によって包囲される。このようにして、リザーバは、リザーバ包囲部１３３０およびピストン６５０によって包囲される。
【０２７９】
図１３では、ピストン６００は、リム３０４と隔壁３１５との間に介在して示されており、リザーバは、最大量積の半分を有する。リザーバが最大容積であったときにリザーバ内にあった液体の半分は、隔壁１３１５内のノズル１３１５内の孔１３１６を通してそこから押し出されている。
【０２８０】
図１４では、ピストン６００の内部表面６５１は、隔壁１３１５に当接して示されている。ピストン６００がこの位置に移動すると、リザーバ５００から残りの液体が押し出される。リザーバに容積がないため、リザーバ１５００内に第１の飲料が残っていない。ピストン６００の内面６５１および隔壁１３１５は、ピストンの移動によって接触されたときにリザーバの容積を奪う一致する輪郭を有する。
【０２８１】
ピストン頭部の周辺に、円筒壁１３３３に沿って摺動する弾性唇を含む摺動シール６６０がある。ピストン頭部は、リザーバから液体を絞り出すために使用者がピストン頭部の外部表面６５０に力を適用するときでも、弾性的な摺動シールを円筒壁に加圧し続けるように剛性である。使用者は、ピストン６００を押すためにリザーバの開口端３０２を通して自らの指を挿入する。
【０２８２】
ピストン頭部は、凹状屈曲を有する。ピストン頭部は、リザーバから外方に突き出る。隔壁３１５、１３１５は、ピストン頭部に一致する凹状屈曲を有する。隔壁は、リザーバ５００、１５００内に突き出る。
【０２８３】
摺動シールは、ピストンが押されるまでピストンを適所に保持する円筒壁への摩擦継手である。摺動シール６６０は、可撓性シールリングを含み、可撓性シールリングは、外周であり、外周を外部ケース１３３０の内壁と接触させる。
【０２８４】
シールリングは、リザーバ開口１３０２に向かってピストン頭部の外周縁部から軸方向に延在する第１の膜６６１と、隔壁１３１５に向かって外周縁部から軸方向に延在する第２の膜６６２とを含む。
【０２８５】
シールリングは、空気および液体がノズルを迂回することを防止する一方、ピストンが意図的に押されない限りピストンを適所に保持するために十分な摩擦も提供する。シールリングは、Ｏリング型シールなどの他のシールも有効であるため、ピストン頭部の封止に必須の要素ではない。
【０２８６】
剛性のピストン頭部および可撓性シールリングの外周接合部においてピストン内に屈曲の鋭角反転部がある。
【０２８７】
隔壁１３１５は、ピストンが隔壁に加圧されるときに空隙がないように、一致する外周の屈曲の鋭角反転部１３１７を有する。屈曲の鋭角反転部１３１７は、隔壁外周縁部が外部ケースに接合する場合に隅部を提供する。第２の膜は、リザーバからすべての液体の排出を改善するために隅部が絞られる。
【０２８８】
摩擦継手は、ピストン自体の重量に対して適所にピストンを保持するために少なくとも十分な摩擦力を提供する。それにより、リザーバ内の液体は、リザーバの内側に保持され、意図せずにノズルを通して滴ることはない。空気は、リザーバ内に決して引き寄せられない。液体は、圧縮できないため、液体は、決してノズルから垂れて出ることはない。したがって、ピストンは、ノズルからリザーバ内にわずかな液体を排出させるために部分的に押圧され得る。リザーバ内に残っている液体は、捕捉され、それ自体の表面張力および非圧縮性により垂れて出ることができない。残っている液体は、後に使用するためにリザーバ内に保管される。
【０２８９】
摩擦継手は、ピストン６００が、図１２に示されるように、リザーバ包囲部３３０、１３３０からピストンが出ることを防止する物品の管状ケース上の緩衝体３０４、１３０４に対向しているとき、リザーバの全容積を占有する第１の飲料の追加の重量を保持するようにも配置され得る。これにより、第１の飲料がリザーバ内に流れて戻りピストンを移動させることなく、第１の飲料のためのカップとしてソケットを使用するために飲料をソケット内に排出することができる。
【０２９０】
飲料は、ノズルが遮断されるため、オーバーキャップ１２０がソケット３１０、１３１０の内側の適所にある間に排出することができない。
【０２９１】
物品３００、１３００は、オーバーキャップから回して外され得、ねじ込み式キャップは、瓶上に留まる。
【０２９２】
示される例では、リザーバ円筒は、円形円筒である。楕円形、長方形、正方形および多角形などのピストンに対する他の外形も可能である。円形および楕円形の外形により、最も安価な漏れ止めの摺動シールでリザーバ内の液体がシールを通過して漏れることを防止させる。
【０２９３】
図１５、１６および１７は、端視図、縁部を通る断面および等角図においてピストン６００の詳細を示す。示されるように、ピストン６００は、外部表面６５０および内部表面６５１を有するピストン頭部を含む。内部表面は、リザーバ５００の境界面である。
【０２９４】
ピストンは、厚い頭部および薄くより摺動するシールを備えた単一のユニットとして成形できる。
【０２９５】
本発明は、例として説明されたに過ぎない。したがって、前述は、本発明の原理の例示に過ぎないと考えられる。さらに、多数の修正形態および変更形態が当業者に容易に想到されるため、示されかつ説明された正確な構成および作動に本発明を限定することは望ましくなく、したがって特許請求の範囲内に入るすべての適切な修正形態および均等物が用いられ得る。
【符号の説明】
【０２９６】
１１０  器キャップ、ねじ込み式キャップ
１１２  ねじ込み式キャップのねじ山
１１４  ねじ込み式キャップの上部
１２０  オーバーキャップ
１２３  オーバーキャップの開口端の第１のリム
１２４  オーバーキャップの上部
１２５  オーバーキャップのスカート
１２６  オーバーキャップ上部の中心陥凹部
１２８  オーバーキャップの分離リング
１２９  オーバーキャップの指
１３０  オーバーキャップの外周隙間
１３１  オーバーキャップの分離リングの第２の外周リム
１３３  オーバーキャップの雄ねじ山
１３４  オーバーキャップの軸方向に位置合わせしたリブ
１３５  オーバーキャップのスカート上の外部刻み
１３７  オーバーキャップの第１の係止装置、突出部、突起
１６０  ボタンを含む折り畳み可能な部分
１６２  折り畳み可能な部分の外周シール面
１６４  折り畳み可能な部分の内部表面
１６５  折り畳み可能な部分の可撓性ボタン
２００  器、瓶
２１０  瓶の首のねじ山
２２０  瓶の首の外周リッジ
２２２  瓶の首の第２の係止装置、停止部、突起
２２３  瓶の首の第２の係止装置の直径方向に対向する突起
３００  物品
３０２  可撓性ボタンによって閉鎖された物品内のリザーバ開口
３０４  リザーバ開口のリム
３１０  ソケット、オーバーキャップの連結部
３１１  離断リング
３１２  ソケットの外部ケース内の外周スロット、連結部
３１３  オーバーキャップへの連結部の管状ケース
３１４  ノズル
３１５  隔壁、オーバーキャップへの連結部の基部
３１６  ノズル孔
３１７  脆弱なストリンガ
３１８  オーバーキャップへの連結部上の雌ねじ山
３１９  離断リング上の窪みまたは外周リッジ
３２０  オーバーキャップを受けるためのソケット内の開口
３２１  ソケットの開口端のリム、基部に遠位の連結部
３３０  リザーバ包囲部、リザーバ部品
３３２  リザーバ部品の外周リッジ
３３３  リザーバ包囲部の外部ケース、リザーバ部品
３３５  リザーバ部品の端部における可撓性の弾性フラップ
３３７  円筒壁の内面上のシート
５００  リザーバ
６００  ピストン
６５０  ピストン頭部外部表面
６５１  ピストン頭部内部表面
６６０  ピストンシール唇
６６１  シールリングの第１の膜
６６２  シールリングの第２の膜
１０００  飲料容器の第１の実施形態
１３００  物品
１３０２  ピストンによって封止され、閉鎖されたリザーバ包囲部内の開口
１３０４  ピストンによって閉鎖されたリザーバ開口のリム
１３１０  ソケット、オーバーキャップを受ける区分
１３１１  離断リング
１３１４  ノズル
１３１５  リザーバとオーバーキャップを受けるための開口との間に介在する隔壁
１３１６  ノズル孔
１３１７  屈曲の鋭角外周反転部
１３１８  ソケットの外部ケース上の雌ねじ山
１３２０  ソケットの開口端
１３２１  ソケットの開口端のリム
１３３０  リザーバ包囲部、隔壁とピストンとの間に介在する区分
１３３３  リザーバ包囲部の外部ケース、リザーバ部品
１５００  リザーバ
１１０００  飲料容器の第２の実施形態
【図１】
2020506124.tif 000003
【図２】
2020506124.tif 000004
【図３】
2020506124.tif 000005
【図４】
2020506124.tif 000006
【図５】
2020506124.tif 000007
【図６】
2020506124.tif 000008
【図７Ａ】
2020506124.tif 000009
【図７Ｂ】
2020506124.tif 000010
【図７Ｃ】
2020506124.tif 000011
【図８Ａ】
2020506124.tif 000012
【図８Ｂ】
2020506124.tif 000013
【図８Ｃ】
2020506124.tif 000014
【図８Ｄ】
2020506124.tif 000015
【図８Ｅ】
2020506124.tif 000016
【図８Ｆ】
2020506124.tif 000017
【図９Ａ】
2020506124.tif 000018
【図９Ｂ】
2020506124.tif 000019
【図９Ｃ】
2020506124.tif 000020
【図９Ｄ】
2020506124.tif 000021
【図９Ｅ】
2020506124.tif 000022
【図９Ｆ】
2020506124.tif 000023
【図１０Ａ】
2020506124.tif 000024
【図１０Ｂ】
2020506124.tif 000025
【図１０Ｃ】
2020506124.tif 000026
【図１０Ｄ】
2020506124.tif 000027
【図１０Ｅ】
2020506124.tif 000028
【図１０Ｆ】
2020506124.tif 000029
【図１１】
2020506124.tif 000030
【図１２】
2020506124.tif 000031
【図１３】
2020506124.tif 000032
【図１４】
2020506124.tif 000033
【図１５】
2020506124.tif 000034
【図１６】
2020506124.tif 000035
【図１７】
2020506124.tif 000036
【国際調査報告】
2020506124.tif 000037
2020506124.tif 000038
2020506124.tif 000039